(57)【要約】【課題】  ソーラーパネルを設置する候補となる建物について、使用者の情報とともに特定する見込み客算出装置を提供する。【解決手段】  見込み客算出装置は、複数の建物の位置情報と、複数の建物それぞれの上面を含む画像情報と地図情報の少なくとも一方を含む第１建物情報に基づいて特定された建物に設置可能なソーラーパネルに関する情報との関係を示す第１データベースの記録を行う記録部を備える。第１データベースと、建物の位置情報と建物の使用者に関する情報との関係を示す第２データベースとに基づいて、建物の位置情報と建物の使用者に関する情報とソーラーパネルに関する情報との関係を示す第３データベースの第１生成と、第１建物情報に家屋の位置情報と使用者に関する情報とソーラーパネルに関する情報を付加した第２建物情報Ｍ２の第２生成の少なくとも一方を行う制御部を備える。【選択図】  図１２
2019016344.tif 000002
【特許請求の範囲】
【請求項１】
複数の建物の位置情報と、前記複数の建物それぞれの上面を含む画像情報と地図情報の少なくとも一方を含む第１建物情報に基づいて特定された前記建物に設置可能なソーラーパネルに関する情報との関係を示す第１データベースの記録を行う記録部と、
前記第１データベースと、前記建物の位置情報と前記建物の使用者に関する情報との関係を示す第２データベースとに基づいて、前記建物の位置情報と前記建物の使用者に関する情報と前記ソーラーパネルに関する情報との関係を示す第３データベースの第１生成と、前記第１建物情報に前記建物の位置情報と前記使用者に関する情報と前記ソーラーパネルに関する情報を付加した第２建物情報の第２生成の少なくとも一方を行う制御部とを備えることを特徴とする見込み客算出装置。
【請求項２】
前記第１データベースは、前記ソーラーパネルに関する情報として、前記建物若しくは前記建物の屋根に対応するソーラーパネルの大きさに関する情報を含み、
前記第２データベースは、前記使用者に関する情報として、前記使用者が所属する組織に関する情報、前記建物における前記使用者が使用する領域における電力の使用量、前記建物の特性の少なくとも一つを含み、
前記制御部は、前記第１生成と前記第２生成の少なくとも一方を行う際に、前記第１データベースに含まれるソーラーパネルに関する情報と、前記第２データベースに含まれる前記使用者に関する情報の少なくとも一方を使った絞り込み条件であって、入力装置を介して設定されたもので絞り込みを行うことを特徴とする請求項１に記載の見込み客算出装置。
【請求項３】
前記第１データベースは、前記ソーラーパネルに関する情報として、前記建物若しくは前記建物の屋根に対応するソーラーパネルの大きさに関する情報を含み、
前記第２データベースは、前記使用者に関する情報として、前記使用者の年齢と、前記使用者の家族に関する情報と、前記建物の築年数と、前記建物のローンに関する弁済情報と、前記使用者や前記家族のテレビの視聴時間、前記家族の通信販売の購入状況、前記建物の電気の使用量の少なくとも一つを含み、
前記制御部は、前記第１生成と前記第２生成の少なくとも一方を行う際に、前記第１データベースに含まれるソーラーパネルに関する情報と、前記第２データベースに含まれる前記使用者に関する情報の少なくとも一方を使った絞り込み条件であって、入力装置を介して設定されたもので絞り込みを行うことを特徴とする請求項１に記載の見込み客算出装置。
【請求項４】
前記制御部は、少なくとも前記第１生成を行うものであり、
前記第３データベースは、前記第１データベースに含まれる複数の建物のうち、前記第２データベースに含まれる前記建物と位置情報が重複するものについて、前記建物の情報と前記使用者に関する情報と前記ソーラーパネルに関する情報の関係を示すものであることを特徴とする請求項１に記載の見込み客算出装置。
【請求項５】
前記第３データベースが表示された状態、若しくは、前記第２建物情報が表示された状態で、所定の操作が行われた場合に、前記制御部は、前記所定の操作に対応する前記建物の前記使用者に対して、上空から前記建物を撮影する若しくはスキャンすることについての同意を求める案内書類を生成することを特徴とする請求項１に記載の見込み客算出装置。
【請求項６】
前記制御部は、少なくとも前記第２生成を行うものであり、
前記第２建物情報の画面表示では、前記第１データベースに含まれる複数の建物のうち、前記第２データベースに含まれる前記建物と位置情報が重複するものが強調されることを特徴とする請求項１に記載の見込み客算出装置。
【請求項７】
前記制御部は、前記第１生成と前記第２生成を行うものであり、
前記第３データベースの画面表示、若しくは前記第２建物情報の画面表示において、入力部を介して、建物の少なくとも一つが指定されると、前記第２建物情報に、前記指定された建物の前記位置情報と前記使用者に関する情報と前記ソーラーパネルに関する情報の表示が加えられることを特徴とする請求項１に記載の見込み客算出装置。
【請求項８】
複数の建物の位置情報と、前記複数の建物それぞれの上面を含む画像情報と地図情報の少なくとも一方を含む建物情報に基づいて特定された前記建物に設置可能なソーラーパネルに関する情報との関係を示す第１データベースの記録を行う記録工程と、
前記第１データベースと、前記建物の位置情報と前記建物の使用者に関する情報との関係を示す第２データベースとに基づいて、前記建物の位置情報と前記建物の使用者に関する情報と前記ソーラーパネルに関する情報との関係を示す第３データベースの第１生成と、前記第１建物情報に前記建物の位置情報と前記使用者に関する情報と前記ソーラーパネルに関する情報を付加した第２建物情報の第２生成の少なくとも一方を行う情報生成工程とを実行することを特徴とする見込み客算出プログラム。
【請求項９】
前記第１データベースは、前記ソーラーパネルに関する情報として、前記建物若しくは前記建物の屋根に対応するソーラーパネルの大きさに関する情報を含み、
前記第２データベースは、前記使用者に関する情報として、前記使用者が所属する組織に関する情報、前記建物における前記使用者が使用する領域における電力の使用量、前記建物の特性の少なくとも一つを含み、
前記情報生成工程では、前記第１データベースに含まれるソーラーパネルに関する情報と、前記第２データベースに含まれる前記使用者に関する情報の少なくとも一方を使った絞り込み条件であって、入力装置を介して設定されたもので絞り込みが行われることを特徴とする請求項８に記載の見込み客算出プログラム。
【請求項１０】
前記第１データベースは、前記ソーラーパネルに関する情報として、前記建物若しくは前記建物の屋根に対応するソーラーパネルの大きさに関する情報を含み、
前記第２データベースは、前記使用者に関する情報として、前記使用者の年齢と、前記使用者の家族に関する情報と、前記建物の築年数と、前記建物のローンに関する弁済情報と、前記使用者や前記家族のテレビの視聴時間、前記家族の通信販売の購入状況、前記建物の電気の使用量の少なくとも一つを含み、
前記情報生成工程では、前記第１データベースに含まれるソーラーパネルに関する情報と、前記第２データベースに含まれる前記使用者に関する情報の少なくとも一方を使った絞り込み条件であって、入力装置を介して設定されたもので絞り込みが行われることを特徴とする請求項７に記載の見込み客算出プログラム。
【発明の詳細な説明】
【技術分野】
【０００１】
本発明は、見込み客算出装置などに関する。
【背景技術】
【０００２】
特許文献１などで、ソーラーパネルを含む装置支援システムなどが提案されている。
【先行技術文献】
【特許文献】
【０００３】
【特許文献１】特開２００６−１８５３６７号公報
【発明の概要】
【発明が解決しようとする課題】
【０００４】
しかしながら、ソーラーパネルを設置する候補となる建物の特定が考慮されていない。
【０００５】
したがって本発明の目的は、ソーラーパネルを設置する候補となる建物について、使用者の情報とともに特定する見込み客算出装置などを提供することである。
【課題を解決するための手段】
【０００６】
本発明に係る見込み客算出装置は、複数の建物の位置情報と、複数の建物それぞれの上面を含む画像情報と地図情報の少なくとも一方を含む第１建物情報に基づいて特定された建物に設置可能なソーラーパネルに関する情報との関係を示す第１データベースの記録を行う記録部と、第１データベースと、建物の位置情報と建物の使用者に関する情報との関係を示す第２データベースとに基づいて、建物の位置情報と建物の使用者に関する情報とソーラーパネルに関する情報との関係を示す第３データベースの第１生成と、第１建物情報に建物の位置情報と使用者に関する情報とソーラーパネルに関する情報を付加した第２建物情報の第２生成の少なくとも一方を行う制御部とを備える。
【０００７】
ソーラーパネルに関する情報を含む第１データベースと、使用者に関する情報を含む第２データベースとに基づいて、第３データベースを生成したり、使用者に関する情報などを表示可能な状態の第２家屋情報を生成したりするので、ソーラーパネルを設置する候補となる建物について、使用者の情報を含めて特定し、出力することが可能になる。
【０００８】
好ましくは、第１データベースは、ソーラーパネルに関する情報として、建物若しくは建物の屋根に対応するソーラーパネルの大きさに関する情報を含み、第２データベースは、使用者に関する情報として、使用者が所属する組織に関する情報、建物における使用者が使用する領域における電力の使用量、建物の特性の少なくとも一つを含み、制御部は、第１生成と第２生成の少なくとも一方を行う際に、第１データベースに含まれるソーラーパネルに関する情報と、第２データベースに含まれる使用者に関する情報の少なくとも一方を使った絞り込み条件であって、入力装置を介して設定されたもので絞り込みを行う。
【０００９】
ソーラーパネルに関する情報、使用者に関する情報を使って、絞り込みを行うことにより、所望の条件に近い使用者や建物を特定することが可能になる。
【００１０】
また、好ましくは、第１データベースは、ソーラーパネルに関する情報として、建物若しくは建物の屋根に対応するソーラーパネルの大きさに関する情報を含み、第２データベースは、使用者に関する情報として、使用者の年齢と、使用者の家族に関する情報と、建物の築年数と、建物のローンに関する弁済情報と、使用者や家族のテレビの視聴時間、家族の通信販売の購入状況、建物の電気の使用量の少なくとも一つを含み、制御部は、第１生成と第２生成の少なくとも一方を行う際に、第１データベースに含まれるソーラーパネルに関する情報と、第２データベースに含まれる使用者に関する情報の少なくとも一方を使った絞り込み条件であって、入力装置を介して設定されたもので絞り込みを行う。
【００１１】
また、好ましくは、制御部は、少なくとも第１生成を行うものであり、第３データベースは、第１データベースに含まれる複数の建物のうち、第２データベースに含まれる建物と位置情報が重複するものについて、建物の情報と使用者に関する情報とソーラーパネルに関する情報の関係を示すものである。
【００１２】
また、好ましくは、第３データベースが表示された状態、若しくは、第２建物情報が表示された状態で、所定の操作が行われた場合に、制御部は、所定の操作に対応する建物の使用者に対して、上空から建物を撮影する若しくはスキャンすることについての同意を求める案内書類を生成する。
【００１３】
当該案内書類が自動的に生成されることにより、効率よく、多くの見込み客（第３データベースに登録された建物の使用者）に対して、当該案内書類を用意することが可能になる。
また、当該案内書類のコンテンツに対する合意が得られた後に、建物の上面に関する詳細な情報を得て、さらに詳しく最適なソーラーパネルに関する情報を提供することが可能になる。
【００１４】
また、好ましくは、制御部は、少なくとも第２生成を行うものであり、第２建物情報の画面表示では、第１データベースに含まれる複数の建物のうち、第２データベースに含まれる建物と位置情報が重複するものが強調される。
【００１５】
また、好ましくは、制御部は、第１生成と第２生成を行うものであり、第３データベースの画面表示、若しくは第２建物情報の画面表示において、入力部を介して、建物の少なくとも一つが指定されると、第２建物情報に、指定された建物の位置情報と使用者に関する情報とソーラーパネルに関する情報の表示が加えられる。
【００１６】
本発明に係る見込み客算出プログラムは、複数の建物の位置情報と、複数の建物それぞれの上面を含む画像情報と地図情報の少なくとも一方を含む建物情報に基づいて特定された建物に設置可能なソーラーパネルに関する情報との関係を示す第１データベースの記録を行う記録工程と、第１データベースと、建物の位置情報と建物の使用者に関する情報との関係を示す第２データベースとに基づいて、建物の位置情報と建物の使用者に関する情報とソーラーパネルに関する情報との関係を示す第３データベースの第１生成と、第１建物情報に建物の位置情報と使用者に関する情報とソーラーパネルに関する情報を付加した第２建物情報の第２生成の少なくとも一方を行う情報生成工程とを実行する。
【００１７】
好ましくは、第１データベースは、ソーラーパネルに関する情報として、建物若しくは建物の屋根に対応するソーラーパネルの大きさに関する情報を含み、第２データベースは、使用者に関する情報として、使用者が所属する組織に関する情報、建物における使用者が使用する領域における電力の使用量、建物の特性の少なくとも一つを含み、情報生成工程では、第１データベースに含まれるソーラーパネルに関する情報と、第２データベースに含まれる使用者に関する情報の少なくとも一方を使った絞り込み条件であって、入力装置を介して設定されたもので絞り込みが行われる。
【００１８】
また、好ましくは、第１データベースは、ソーラーパネルに関する情報として、建物若しくは建物の屋根に対応するソーラーパネルの大きさに関する情報を含み、第２データベースは、使用者に関する情報として、使用者の年齢と、使用者の家族に関する情報と、建物の築年数と、建物のローンに関する弁済情報と、使用者や家族のテレビの視聴時間、家族の通信販売の購入状況、建物の電気の使用量の少なくとも一つを含み、情報生成工程では、第１データベースに含まれるソーラーパネルに関する情報と、第２データベースに含まれる使用者に関する情報の少なくとも一方を使った絞り込み条件であって、入力装置を介して設定されたもので絞り込みが行われる。
【発明の効果】
【００１９】
以上のように本発明によれば、ソーラーパネルを設置する候補となる家屋について、使用者の情報とともに特定する見込み客算出装置などを提供することができる。
【図面の簡単な説明】
【００２０】
【図１】本状態における見込み客算出装置の構成図である。
【図２】第１家屋情報のコンテンツ例を示す図である。
【図３】第１データベースのコンテンツ例を示す図である。
【図４】中間家屋情報のコンテンツ例を示す図である。
【図５】第２データベースのコンテンツ例を示す図である。
【図６】緩めの絞り込み条件が設定された状態の絞り込み条件設定画面のコンテンツ例を示す図である。
【図７】図６の絞り込み条件で生成された第３データベースのコンテンツ例を示す図である。
【図８】図６の絞り込み条件で生成された第２家屋情報のコンテンツ例を示す図である。
【図９】厳しめの絞り込み条件が設定された状態の絞り込み条件設定画面のコンテンツ例を示す図である。
【図１０】図９の絞り込み条件で生成された第３データベースのコンテンツ例を示す図である。
【図１１】図９の絞り込み条件で生成された第２家屋情報のコンテンツ例を示す図である。
【図１２】見込み客情報が、ポップアップ表示された第２家屋情報のコンテンツ例を示す図である。
【図１３】案内書類表示画面のコンテンツ例を示す図である。
【図１４】建物の使用者や使用者が属する組織などの情報を含む第２データベースのコンテンツ例を示す図である。
【図１５】建物の使用者が属する組織などの絞り込み条件を含む絞り込み条件設定画面のコンテンツ例を示す図である。
【発明を実施するための形態】
【００２１】
以下、本実施形態について、図を用いて説明する。本実施形態における見込み客算出装置１は、サーバー３０、使用者端末５０を備える（図１参照）。
一例として、本実施形態では、図４に示すような家屋（第１家屋１０１〜第５１家屋１５１）が点在する地域内におけるソーラーパネルの見込み客を推定する形態を説明する。
【００２２】
サーバー３０は、サーバー通信部３１、サーバー記録部３３、サーバー制御部３５を有する。
使用者端末５０は、端末通信部５１、端末記録部５３、端末制御部５５、入力部５７、表示部５９を有する。
【００２３】
サーバー通信部３１は、ネットワークを介して、外部端末４０や、使用者端末５０の端末通信部５１と通信を行う。
サーバー通信部３１は、ネットワークを介して、外部端末４０などにアクセスし、第１家屋情報Ｍ１（図２参照）を受信する。
第１家屋情報（第１建物情報）Ｍ１は、航空写真など複数の家屋それぞれの上面を含む画像情報と地図情報の少なくとも一方であり、第１家屋情報Ｍ１に含まれる家屋に対応する位置情報（住所情報と緯度経度情報の少なくとも一方）を含む。
【００２４】
ただし、ネットワークを介さずに取得した航空写真などの画像情報若しくは地図情報に、当該画像情報若しくは地図情報に含まれる家屋に対応する位置情報を付与したものが、第１家屋情報Ｍ１として使用される形態であってもよい。
【００２５】
サーバー記録部３３は、第１家屋情報Ｍ１に基づいて生成された、家屋番号、家屋の位置情報（住所情報と緯度経度情報の少なくとも一方）と、当該家屋に設置可能なソーラーパネルの情報（パネル情報）の関係を示す第１データベースＤ１（図３参照）と、第１データベースＤ１に登録された家屋が含まれる中間家屋情報ＭＭ（第１家屋情報Ｍ１に家屋番号が付与された家屋情報）を記録する（図４参照）。
【００２６】
家屋番号は、第１家屋情報Ｍ１に含まれる家屋ごとに付与された固有の番号で、本実施形態では「１０４」など数字３桁の文字列で構成される例を示す。
家屋の位置情報は、第１家屋情報Ｍ１に含まれる家屋に対応する位置情報で、本実施形態では、住所情報が位置情報として用いられる例を示す。
パネル情報は、第１家屋情報Ｍ１に含まれる家屋に対応可能なソーラーパネルに関する情報で、本実施形態では、家屋の屋根の大きさなどに基づいて算出される設置可能なソーラーパネルの大きさ（Ａ：大型、Ｂ：中型：Ｃ：小型、Ｄ：設置不可）が、パネル情報として用いられる例を示す。
【００２７】
ただし、設置可能なソーラーパネルの出力、品番、価格など、さらに詳細情報を、パネル情報として含める形態であってもよい。
この場合は、サーバー記録部３３は、屋根に関する情報（大きさ、形状、傾き度合いなど）と、対応するソーラーパネルの仕様（出力、品番、価格など）の関係を示す詳細ソーラーパネルデータベース（不図示）を記録する。
【００２８】
また、サーバー記録部３３には、サーバー３０と外部端末４０や使用者端末５０との情報送受信を行ったり、第１データベースＤ１や中間家屋情報ＭＭの更新を行ったり、第３データベースＤ３の生成（第１生成）や第２家屋情報（第２建物情報）Ｍ２の生成（第２生成）を行ったりしたりするサーバー側見込み客算出プログラムがインストールされている。
【００２９】
サーバー制御部３５は、サーバー側見込み客算出プログラムを実行させて、サーバー３０の各部の制御を行う。
サーバー側見込み客算出プログラムは、第１データベース生成工程、記録工程、中間家屋情報生成工程、第２データベース受信工程、絞り込み条件受信工程、情報生成工程（第１生成、第２生成）、第３データベース送信工程、第２家屋情報送信工程などを実行する。
【００３０】
次に、使用者端末５０における各部（端末通信部５１、端末記録部５３、端末制御部５５、入力部５７、表示部５９）の構成を説明する。
【００３１】
端末通信部５１は、ネットワークを介して、サーバー３０のサーバー通信部３１と通信し、情報の送受信を行う通信装置である。
【００３２】
端末記録部５３には、端末側見込み客算出プログラムがインストールされる。
端末側見込み客算出プログラムは、第２データベース送信工程、絞り込み条件送信工程、第３データベース受信工程、第２家屋情報受信工程などを実行し、見込み客に関する情報（絞り込み条件設定画面Ｐ１、データベース表示画面Ｐ２、地図表示画面Ｐ３、案内書類表示画面Ｐ４）を表示部５９に表示させる。
サーバー側見込み客算出プログラム、及び端末側見込み客算出プログラムの具体的な動作は後述する。
【００３３】
端末制御部５５は、端末側見込み客算出プログラムを実行させて、使用者端末５０の各部の制御を行う。
【００３４】
入力部５７は、端末側見込み客算出プログラムの操作、特に、第２データベースＤ２の送信操作、絞り込み条件の設定操作などに使用される。
表示部５９は、見込み客に関する情報（絞り込み条件設定画面Ｐ１、データベース表示画面Ｐ２、地図表示画面Ｐ３、案内書類表示画面Ｐ４）を表示する表示装置である。
本実施形態では、表示部５９にタッチパネルが設けられ、入力部５７と表示部５９とが一体的に構成される形態を説明するが、入力部５７と表示部５９とが別体で構成される形態であっても良い。
【００３５】
次に、サーバー側見込み客算出プログラム、及び端末側見込み客算出プログラムの具体的な動作について説明する。
【００３６】
サーバー制御部３５は、第１時間Ｔ１（例えば、Ｔ１＝６０日）ごとに、外部端末４０にアクセスして、第１家屋情報Ｍ１を受信し、第１家屋情報Ｍ１における家屋を特定し、特定した家屋ごとに、家屋番号を付与する。
また、サーバー制御部３５は、第１家屋情報Ｍ１における家屋若しくは当該家屋の屋根を特定し、特定した家屋若しくは屋根の大きさに基づいて、当該屋根に設置可能なソーラーパネルの大きさを特定する。
ソーラーパネルの詳細情報を特定する場合には、サーバー記録部３３に記録された詳細ソーラーパネルデータベースを用いて、当該屋根に設置可能なソーラーパネルの詳細情報を特定する。
【００３７】
サーバー制御部３５は、家屋番号、第１家屋情報Ｍ１に含まれる家屋の位置情報、ソーラーパネルに関する情報（当該家屋に設置可能なソーラーパネルの大きさと、ソーラーパネルの詳細情報の少なくとも一方）の関係を示す第１データベースＤ１を生成し、サーバー記録部３３に記録する（第１データベース生成工程、記録工程）。
サーバー制御部３５は、第１家屋情報に、特定した家屋ごとに付与した家屋番号を加えた中間家屋情報ＭＭを生成し、サーバー記録部３３に記録する（中間家屋情報生成工程）。
【００３８】
端末制御部５５は、使用者による入力部５７を使った操作に基づいて、第２データベースＤ２と絞り込み条件に関する情報をサーバー３０に送信する（第２データベース送信工程、絞り込み条件送信工程）。
【００３９】
サーバー制御部３５は、使用者端末５０から第２データベースＤ２と絞り込み条件に関する情報を受信すると、第１データベースＤ１と組み合わせて第３データベースＤ３の生成（第１生成）を行い、中間家屋情報ＭＭと組み合わせて第２家屋情報Ｍ２の生成（第２生成）を行い、第３データベースＤ３と第２家屋情報Ｍ２を使用者端末５０に送信する（第２データベース受信工程、絞り込み条件受信工程、情報生成工程（第１生成、第２生成）、第３データベース送信工程、第２家屋情報送信工程）。
【００４０】
第２データベースＤ２は、使用者端末５０を操作する使用者などの顧客情報で、顧客の居住地（家屋）に関する位置情報（住所情報と緯度経度情報の少なくとも一方）、当該顧客（家屋の居住者）の氏名、当該顧客の年齢、家族の人数、居住地の家屋の築年数、当該家屋のローンに関する弁済情報の関係を示す（図５参照）。
【００４１】
本実施形態では、顧客の氏名の具体例として、名字だけを表記し名前の部分を省略したものが使用される形態を説明するが、名前の部分を省略しないものが使用される形態であってもよい。
また、家族の人数に代えて、若しくは加えて、居住者に対する跡継ぎ出来る者が居るか否かの情報を、第２データベースＤ２に設けても良い。
また、顧客情報として、居住者や当該居住者を含む家族のテレビの視聴時間、当該家族の通信販売の購入状況、当該居住者に対応する家屋の電気の使用量などが、第２データベースＤ２に設けられる形態であってもよい。
【００４２】
本実施形態では、ローンの弁済が滞った（ローンの支払い期日までに所定金額の支払いが出来なかった）ことがある（見込み客として適している可能性が低い）場合にパラメータ：１が設定され、ローンの弁済が滞ったことが無い（見込み客として適している可能性が高い）場合にパラメータ：０が設定される弁済情報パラメータが、当該弁済情報として用いられる例を示す。
ただし、ローンの年数、ローンの残り金額など、さらに詳細情報を、弁済情報として含める形態であってもよい。
【００４３】
第２データベースＤ２は、後述する絞り込み条件を使用者端末５０からサーバー３０へ送信する際に送信されるか、絞り込み条件を送信する前に送信される。
使用者端末５０若しくは、別の端末（不図示）で作成され記録媒体などに記録されたものが、第２データベースＤ２として、用いられる。
【００４４】
第３データベースＤ３は、第１データベースＤ１と第２データベースＤ２に含まれる情報のうち、位置情報が重複するものであって、使用者端末５０で設定された絞り込み条件に合致するもの（所定の条件を満たし、見込み客として適している者）に対応する、家屋番号と、当該家屋の位置情報と、当該家屋の居住者に関する情報（顧客の氏名、当該顧客の年齢や家族の人数や当該家屋の築年数や当該家屋のローンに関する弁済情報など）と、ソーラーパネルに関する情報（当該家屋に設置可能なソーラーパネルの大きさなど）との関係を示す（図７、図１０参照）。
第３データベースＤ３は、データベース表示画面Ｐ２として、使用者端末５０の表示部５９に表示される。
【００４５】
第２家屋情報Ｍ２は、中間家屋情報ＭＭに、第３データベースＤ３に含まれる家屋を強調する情報、地図上に当該家屋に関する情報（家屋の位置情報、居住者に関する情報、ソーラーパネルに関する情報）を表示する情報を加えたものである（図８、図１１参照）。
第２家屋情報Ｍ２は、地図表示画面Ｐ３として、使用者端末５０の表示部５９に表示される。
【００４６】
本実施形態では、第３データベースＤ３に含まれる家屋に黒塗り星印が、強調する情報の例として加えられ、当該黒塗り星印の近傍がタッチ操作されると、当該黒塗り星印に対応する家屋に関する情報（見込み客情報Ｍ２ａ）が、当該黒塗り星印の近傍に、ポップアップ表示などで地図表示画面Ｐ３に加えられる（図１２参照）。
【００４７】
図１２は、家屋番号：１０５に対応する見込み客情報Ｍ２ａにおける「強調する情報（黒塗り星印）に対応する家屋に関する情報」として、「住所：○○市××町２−１８−１０、設置可能と考えられるソーラーパネルの大きさ：中程度、氏名：斉藤＊＊、家族：４名、家屋の築年数：２５年、ローンの弁済滞り：なし」を表示する例を示す。
【００４８】
見込み客情報Ｍ２ａの表示は、かかる情報の他に、見込み客情報Ｍ２ａの表示が行われる前の状態に戻すための戻るボタンｂ１と、当該顧客に対する案内書類を作成するための案内書類作成ボタンｂ２を有する。
【００４９】
戻るボタンｂ１が操作されると、見込み客情報Ｍ２ａのポップアップ表示が行われる前の状態（データベース表示画面Ｐ２若しくは、ポップアップ表示のない地図表示画面Ｐ３）に戻される。
【００５０】
案内書類作成ボタンｂ２が操作されると、サーバー制御部３５若しくは端末制御部５５は、当該顧客に対して、「顧客の家屋の屋上にはパネル情報に対応する大きさのソーラーパネルを設置することが出来る可能性があること」と「設置可能なソーラーパネルを詳細に見積もるために、当該家屋の上空を、ドローンなどを使ってスキャン若しくは撮影することについて同意を求めること」を示す領域、及び「同意する旨の承諾を書き込み領域」を含む案内書類を作成し、端末制御部５５は、当該案内書類のコンテンツを含む案内書類表示画面Ｐ４を表示部５９に出力させたり、不図示のプリンターを介して当該案内書類を出力させたりする（図１３参照）。
【００５１】
なお、データベース表示画面Ｐ２が表示された状態で、データベース表示画面Ｐ２上の第３データベースＤ３における顧客氏名を含む行を操作した場合に、地図表示画面Ｐ３の表示に切り替えられ、第２家屋情報Ｍ２における当該顧客に対応する家屋の黒塗り星印の近傍に、ポップアップ表示などで見込み客情報Ｍ２ａが加えられる形態であってもよいし、当該顧客に対応する案内書類表示画面Ｐ４の表示や出力が行われる形態であってもよい。
【００５２】
絞り込み条件設定画面Ｐ１で、入力部５７を介して絞り込み条件が設定され、当該絞り込み条件が使用者端末５０からサーバー３０へ送信されると、サーバー制御部３５は、第３データベースＤ３及び第２家屋情報Ｍ２を生成し、使用者端末５０に送信し、これらを表示切り替え可能な状態で、使用者端末５０の表示部５９に表示させる（第３データベース受信工程、第２家屋情報受信工程、データベース表示画面Ｐ２（図７、図１０参照）、地図表示画面Ｐ３（図８、図１１参照））。
【００５３】
絞り込み条件は、第１データベースＤ１と第２データベースＤ２とで位置情報が重複するものから絞り込みを行うための条件であり、使用者端末５０に表示される絞り込み条件設定画面Ｐ１（図６、図１０参照）で入力部５７を介して設定され、第１データベースＤ１と第２データベースＤ２とで位置情報が重複する家屋や対応する顧客について、当該絞り込み条件に合致するものが、ソーラーパネル設置の見込み客として第３データベースＤ３に登録される。
【００５４】
本実施形態では、パネル情報で設定したパネル大きさ（Ａ、Ｂ、Ｃ、Ｄ）と、顧客の年齢と、顧客の家族と、家屋の築年数と、弁済条件を考慮するか否か（Ｙｅｓ、Ｎｏ）が絞り込み条件として使用されるが、第１データベースＤ１と第２データベースＤ２に含まれる項目のいずれかに対応する他の条件が追加される形態であってもよい。
【００５５】
図６は、比較的緩めの絞り込み条件（パネル大きさ：ＡとＢとＣとＤのすべて、年齢制限：なし、家族人数制限：なし、築年数制限：なし、弁済情報の考慮：なし）を設定した場合の、絞り込み条件設定画面Ｐ１の例を示し、図７は、かかる条件で絞り込みを行った場合の第３データベースＤ３を含むデータベース表示画面Ｐ２の例を示し、図８は、かかる条件で絞り込みを行った場合の第２家屋情報Ｍ２を含む地図表示画面Ｐ３の例を示す。
【００５６】
図９は、比較的厳しめの絞り込み条件（パネル大きさ：ＡとＢのみ、年齢制限：６５歳以下、家族人数制限：２人以上、築年数制限：２５年以下、弁済情報の考慮：あり）を設定した場合の、絞り込み条件設定画面Ｐ１の例を示し、図１０は、かかる条件で絞り込みを行った場合の第３データベースＤ３を含むデータベース表示画面Ｐ２の例を示し、図１１は、かかる条件で絞り込みを行った場合の第２家屋情報Ｍ２を含む地図表示画面Ｐ３の例を示す。
【００５７】
ソーラーパネルに関する情報を含む第１データベースＤ１と、居住者に関する情報を含む第２データベースＤ２とに基づいて、第３データベースＤ３を生成したり、居住者に関する情報などを表示可能な状態の第２家屋情報を生成したりするので、ソーラーパネルを設置する候補となる家屋について、居住者の情報を含めて特定し、出力することが可能になる。
【００５８】
また、第１データベースＤ１と第２データベースＤ２とで位置情報が重複したものについて、ソーラーパネルに関する情報、居住者に関する情報を使って、絞り込みを行うことにより、所望の条件に近い居住者や家屋を特定することが可能になる。
【００５９】
案内書類作成ボタンｂ２の操作などに基づいて、案内書類が自動的に生成されることにより、効率よく、多くの見込み客（第３データベースＤ３に登録された家屋の居住者）に対して、当該案内書類を用意することが可能になる。
また、当該案内書類のコンテンツに対する合意が得られた後に、家屋の上面に関する詳細な情報を得て、さらに詳しく最適なソーラーパネルに関する情報を提供することが可能になる。
【００６０】
なお、本実施形態では、サーバー３０にサーバー側見込み客算出プログラムがインストールされ、使用者端末５０に端末側見込み客算出プログラムがインストールされる形態を説明したが、サーバー側見込み客算出プログラムと端末側見込み客算出プログラムの両方の機能を含む見込み客算出プログラムがサーバー３０にインストールされ、使用者端末５０がネットワークを介してサーバー３０にアクセスし、Ｗｅｂ上で当該見込み客算出プログラムを動作させる形態であってもよい。
この場合は、サーバー３０が見込み客算出装置に相当する。
【００６１】
また、サーバー３０を使用せず、使用者端末５０に当該見込み客算出プログラムがインストールされる形態であってもよい。
この場合は、使用者端末５０が見込み客算出装置に相当する。
なお、見込み客算出プログラムが使用者端末５０にインストールされる場合には、サーバー３０が不要になり、サーバー３０と使用者端末５０との間の情報送信工程が省略される。
【００６２】
（本実施形態の変形例）
本実施形態では、人が居住する家屋を建物とし、家屋の居住者を建物の使用者とした場合の例を説明した。
しかしながら、建物は、事業で用いる店舗や工場などであってもよい。
【００６３】
この場合には、第２データベースＤ２に含まれる情報、すなわち見込み客算出演算を行う際に用いる情報を異なるものにしてもよい。
【００６４】
例えば、第２データベースＤ２が、使用者に関する情報として、使用者が所属する組織に関する情報（会社名、業種など）、建物における使用者が使用する領域における電力の使用量、建物の特性（許可の有無など）の少なくとも一つを含む形態が考えられる（本実施形態の変形例、図１４参照）。
建物における使用者が使用する領域は、例えば、建物における使用者が借りている店舗領域などが考えられる。
【００６５】
図１４は、使用者が所属する組織に関する情報の一例として、組織名（会社Ａなどの会社名）と、業種（飲食、小売、保険など）を挙げ、建物における使用者が使用する領域における電力の使用量の一例として、単位期間あたりの電力使用量が多いか中程度か少ないかに関する情報を挙げ、建物の特性の一例として、ソーラーパネルを設置する際に行政機関への許認可が必要か否か（必要：１、不要：０）に関する情報を挙げ、これらと位置情報や使用者の氏名との関係を示す。
【００６６】
絞り込み条件設定画面Ｐ１も、使用者に関する情報に対応したものが設定される（図１５参照）。
【００６７】
図１５は、本実施形態の変形例の第２データベースＤ２に対応する絞り込み条件設定（パネル大きさ：ＡとＢのみ、組織：会社のみ、業種：飲食のみ、電力使用量：多い組織と中程度の組織、許可の有無：許可不要の組織のみ）を設定した場合の、絞り込み条件設定画面Ｐ１の例を示す。
【００６８】
ソーラーパネルに関する情報を含む第１データベースＤ１と、建物の使用者に関する情報を含む第２データベースＤ２とに基づいて、第３データベースＤ３を生成したり、使用者に関する情報などを表示可能な状態の第２建物情報を生成したりするので、ソーラーパネルを設置する候補となる建物について、使用者の情報を含めて特定し、出力することが可能になる。
【００６９】
また、第１データベースＤ１と第２データベースＤ２とで位置情報が重複したものについて、ソーラーパネルに関する情報、使用者に関する情報を使って、絞り込みを行うことにより、所望の条件に近い使用者や建物を特定することが可能になる。
【符号の説明】
【００７０】
１  見込み客算出装置
３０  サーバー
３１  サーバー通信部
３３  サーバー記録部
３５  サーバー制御部
４０  外部端末
５０  使用者端末
５１  端末通信部
５３  端末記録部
５５  端末制御部
５７  入力部
５９  表示部
ｂ１  戻るボタン
ｂ２  案内書類作成ボタン
Ｄ１〜Ｄ３  第１データベース〜第３データベース
Ｍ１、Ｍ２  第１家屋情報（第１建物情報）、第２家屋情報（第２建物情報）
Ｍ２ａ  見込み客情報
ＭＭ  中間家屋情報
Ｐ１  絞り込み条件設定画面
Ｐ２  データベース表示画面
Ｐ３  地図表示画面
Ｐ４  案内書類表示画面
Ｔ１  第１時間
【図１】
2019016344.tif 000003
【図２】
2019016344.tif 000004
【図３】
2019016344.tif 000005
【図４】
2019016344.tif 000006
【図５】
2019016344.tif 000007
【図６】
2019016344.tif 000008
【図７】
2019016344.tif 000009
【図８】
2019016344.tif 000010
【図９】
2019016344.tif 000011
【図１０】
2019016344.tif 000012
【図１１】
2019016344.tif 000013
【図１２】
2019016344.tif 000014
【図１３】
2019016344.tif 000015
【図１４】
2019016344.tif 000016
【図１５】
2019016344.tif 000017